【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
電子プロセッサと、
少なくとも１つのディスプレイと、
少なくとも１つのユーザ入力デバイスと、
非一時的記憶媒体と、
を含み、
前記非一時的記憶媒体は、
過去のラジオロジー検査が少なくとも日付、撮像モダリティ及び解剖学的領域によってインデックス作成されている電子患者カルテから前記過去のラジオロジー検査のインデックスを取得し、オーダー管理システムから前記過去のラジオロジー検査の支払請求可能オーダーコードを取得するように、前記電子プロセッサによって読み取り可能かつ実行可能である取得命令と、
前記過去のラジオロジー検査の前記支払請求可能オーダーコードを含むか又は前記支払請求可能オーダーコードから生成される特徴を含む前記過去のラジオロジー検査の特徴を使用して、前記過去のラジオロジー検査をグループに分けるように、前記電子プロセッサによって読み取り可能及び実行可能である組織化命令と、
前記過去のラジオロジー検査が前記グループに分けられた前記過去のラジオロジー検査の組織化インデックスを前記少なくとも１つのディスプレイに表示するように、前記電子プロセッサによって読み取り可能及び実行可能であるビューア命令と、
を格納する、ラジオロジービューア。
【請求項２】
前記オーダー管理システムに格納された前記過去のラジオロジー検査の前記支払請求可能オーダーコードは、支払請求可能オーダー分類システムに従い、
前記非一時的記憶媒体は更に、医学用語を前記支払請求可能オーダー分類システムの前記支払請求可能オーダーコードに関連付ける支払請求可能オーダー分類システムインデックスを格納し、
前記過去のラジオロジー検査の前記支払請求可能オーダーコードを含むか又は前記支払請求可能オーダーコードから生成される前記特徴は、前記支払請求可能オーダー分類システムインデックスから取得される前記支払請求可能オーダーコードに関連付けられる医学用語を含む、請求項１に記載のラジオロジービューア。
【請求項３】
前記オーダー管理システムに格納された前記過去のラジオロジー検査の前記支払請求可能オーダーコードは、支払請求可能オーダー分類システムに従い、
前記非一時的記憶媒体は更に、医学用語を前記支払請求可能オーダー分類システムの前記支払請求可能オーダーコードに関連付け、前記医学用語のネットワークを更に定義する支払請求可能オーダー分類システムインデックスを格納し、
前記過去のラジオロジー検査の前記支払請求可能オーダーコードを含むか又は前記支払請求可能オーダーコードから生成される前記特徴は、前記支払請求可能オーダー分類システムインデックスから取得される前記支払請求可能オーダーコードに関連付けられる前記医学用語と、前記支払請求可能オーダー分類システムインデックスによって定義された医学用語の前記ネットワークにおける前記医学用語の位置とを使用して計算される支払請求可能オーダーコード間の距離を含む、請求項１又は２に記載のラジオロジービューア。
【請求項４】
前記オーダー管理システム格納された前記過去のラジオロジー検査の前記支払請求可能オーダーコードは、階層的な支払請求可能オーダー分類システムに従い、
前記非一時的記憶媒体は更に、医学用語を前記支払請求可能オーダー分類システムの前記支払請求可能オーダーコードに関連付け、前記支払請求可能オーダー分類システムのツリー構造階層を更に定義する支払請求可能オーダー分類システムインデックスを格納し、
前記過去のラジオロジー検査の前記支払請求可能オーダーコードを含むか又は前記支払請求可能オーダーコードから生成される前記特徴は、前記支払請求可能オーダー分類システムの前記ツリー構造階層における前記支払請求可能オーダーコードの位置を表す特徴を含む、請求項１から３の何れか一項に記載のラジオロジービューア。
【請求項５】
前記非一時的記憶媒体は更に、
前記電子患者カルテから前記過去のラジオロジー検査のラジオロジーレポートを取得し、前記ラジオロジーレポートから医学用語を抽出するように、前記電子プロセッサによって読み取り可能及び実行可能である命令を格納し、
前記過去のラジオロジー検査の前記特徴は更に、前記過去のラジオロジー検査の前記ラジオロジーレポートから抽出された前記医学用語を含むか又は前記医学用語から生成される特徴を含む、請求項１から４の何れか一項に記載のラジオロジービューア。
【請求項６】
前記過去のラジオロジー検査の前記組織化インデックスは、前記グループに対応する色を使用して前記過去のラジオロジー検査を色分けすることにより前記グループに分けられる、請求項１から５の何れか一項に記載のラジオロジービューア。
【請求項７】
前記過去のラジオロジー検査の前記組織化インデックスは、前記グループに対応する前記少なくとも１つのディスプレイの表示領域への前記過去のラジオロジー検査の空間的分離によって前記グループに分けられ、前記ビューア命令は更に、前記少なくとも１つのユーザ入力デバイスを介して、現在のグループに対応する現在の表示領域から移動させるべき過去のラジオロジー検査を別のグループに対応する別の表示領域にドラッグするドラッグアンドドロップ操作を受け取り、前記現在のグループから移動させるべき前記過去のラジオロジー検査を前記別のグループに再グループ化するように、前記電子プロセッサにより読み取り可能かつ実行可能である、請求項１から６の何れか一項に記載のラジオロジービューア。
【請求項８】
過去のラジオロジー検査が少なくとも日付、撮像モダリティ及び解剖学的領域によってインデックス作成されている電子患者カルテから前記過去のラジオロジー検査のインデックスを取得し、オーダー管理システムから前記過去のラジオロジー検査のＩＣＤオーダーコードを取得するように、電子プロセッサによって読み取り可能かつ実行可能である取得命令と、
前記過去のラジオロジー検査の前記ＩＣＤオーダーコードを含むか又は前記ＩＣＤオーダーコードから生成される特徴を含む前記過去のラジオロジー検査の特徴を使用して、前記過去のラジオロジー検査をグループに分けるように、前記電子プロセッサによって読み取り可能及び実行可能である組織化命令と、
前記過去のラジオロジー検査が前記グループに分けられている前記過去のラジオロジー検査の組織化インデックスをディスプレイに提示させるように、前記電子プロセッサによって読み取り可能及び実行可能であるビューア命令と、
を格納し、
前記ＩＣＤオーダーコードは、国際疾病分類（ＩＣＤ）システムに従う、非一時的記憶媒体。
【請求項９】
医学用語を前記ＩＣＤシステムの前記ＩＣＤオーダーコードに関連付けるＩＣＤシステムインデックスを更に格納し、
前記過去のラジオロジー検査の前記ＩＣＤオーダーコードを含むか又は前記ＩＣＤオーダーコードから生成される前記特徴は、前記ＩＣＤシステムインデックスから取得される前記ＩＣＤオーダーコードに関連付けられる医学用語を含む、請求項８に記載の非一時的記憶媒体。
【請求項１０】
医学用語を前記ＩＣＤシステムの前記ＩＣＤオーダーコードに関連付け、前記医学用語のネットワークを更に定義するＩＣＤシステムインデックスを更に格納し、
前記過去のラジオロジー検査の前記ＩＣＤオーダーコードを含むか又は前記ＩＣＤオーダーコードから生成される前記特徴は、前記ＩＣＤシステムインデックスから取得される前記ＩＣＤオーダーコードに関連付けられた前記医学用語と、前記ＩＣＤシステムインデックスによって定義される医学用語の前記ネットワークにおける前記医学用語の位置とを使用して計算されるＩＣＤオーダーコード間の距離を含む、請求項８又は９に記載の非一時的記憶媒体。
【請求項１１】
医学用語を前記ＩＣＤシステムの前記ＩＣＤオーダーコードに関連付け、前記ＩＣＤシステムのツリー構造階層を更に定義するＩＣＤシステムインデックスを更に格納し、
前記過去のラジオロジー検査の前記ＩＣＤオーダーコードを含むか又は前記ＩＣＤオーダーコードから生成される前記特徴は、前記ＩＣＤシステムの前記ツリー構造階層における前記ＩＣＤオーダーコードの位置を表す特徴を含む、請求項８から１０の何れか一項に記載の非一時的記憶媒体。
【請求項１２】
前記電子患者カルテからの前記過去のラジオロジー検査のラジオロジーレポートを取得し、前記ラジオロジーレポートから医学用語を抽出するように、前記電子プロセッサによって読み取り可能及び実行可能である命令を更に格納し、
前記過去のラジオロジー検査の前記特徴は更に、前記過去のラジオロジー検査の前記ラジオロジーレポートから抽出された前記医学用語を含むか又は前記医学用語から生成される特徴を含む、請求項８から１１の何れか一項に記載の非一時的記憶媒体。
【請求項１３】
前記過去のラジオロジー検査の前記組織化インデックスは、前記グループに対応する色を使用して前記過去のラジオロジー検査を色分けすることにより前記グループに分けられる、請求項８から１２の何れか一項に記載の非一時的記憶媒体。
【請求項１４】
前記過去のラジオロジー検査の前記組織化インデックスは、前記グループに対応する前記ディスプレイの表示領域への前記過去のラジオロジー検査の空間的分離によって前記グループに分けられる、請求項８から１３の何れか一項に記載の非一時的記憶媒体。
【請求項１５】
前記ビューア命令は更に、現在のグループに対応する現在の表示領域から移動させるべき過去のラジオロジー検査を、別のグループに対応する別の表示領域にドラッグするドラッグアンドドロップ操作を、前記少なくとも１つのユーザ入力デバイスを介して受け取り、前記現在のグループから移動させるべき前記過去のラジオロジー検査を前記別のグループに再グループ化するように、前記電子プロセッサにより読み取り可能かつ実行可能である、請求項１４に記載の非一時的記憶媒体。